(57)【特許請求の範囲】
【請求項１】
第１の電子デバイス（１３６）から延出する第１のブレード端子（２４４）を有する前記第１の電子デバイス（１３６）と第２の電子デバイス（１３６）から延出する第２のブレード端子（２４４）を有する前記第２の電子デバイス（１３６）を保持するように構成されるバッテリ分配ユニット（ＢＤＵ）（１０６）であって、前記ＢＤＵは、
ＢＤＵハウジング（１０８）と、
前記ＢＤＵハウジングに受容されるストリップバスバー（１３８）と、
前記ＢＤＵハウジングに受容される第１と第２のクロス端子（１４０）を備え、
前記第１のクロス端子は前記第１のクロス端子の第１の端部（２２０）で前記ストリップバスバーを受容し、且つ前記第１のクロス端子の第２の端部（２２２）で前記第１のブレード端子を受容するように構成され、
前記第２のクロス端子は前記第２のクロス端子の第１の端部（２２０）で前記ストリップバスバーを受容し、且つ前記第２のクロス端子の第２の端部（２２２）で前記第２のブレード端子を受容するように構成され、
前記第１と第２のクロス端子（１４０）は、四つのクワドラントに配置されるＬ形状の壁セグメント（２０２）を含み、
前記Ｌ形状の壁セグメントは、前記ストリップバスバーを受容するように構成されるクロス形状キャビティ（２０４）を区画する、ＢＤＵ（１０６）。
【請求項２】
前記ストリップバスバー（１３８）は、第１と第２の端部（３０４，３０６）の間で前記ストリップバスバーの長手に延出する第１と第２の幅広の側部（３００，３０２）を含み、
前記ストリップバスバーは、前記第１と第２の端部の間に延出する頂縁（３０８）と底縁（３１０）を有し、
前記ストリップバスバーは、前記ストリップバスバーの長手に沿って少なくとも二つの湾曲部（３１２）を有する、
請求項１に記載のＢＤＵ（１０６）。
【請求項３】
前記ストリップバスバー（１３８）は、第１と第２の端部（３０４，３０６）の間で前記ストリップバスバーの長手に延出する第１と第２の幅広の側部（３００，３０２）を含み、
前記ストリップバスバーは、前記第１と第２の端部の間に延出する頂縁（３０８）と底縁（３１０）を有し、
前記第１と第２のクロス端子（１４０）は、前記長手に沿う任意の位置で前記頂縁又は底縁のいずれかに取り付けられ、
前記第１と第２のクロス端子は、前記第１と第２の幅広の側部の両方に係合する、
請求項１に記載のＢＤＵ（１０６）。
【請求項４】
前記ストリップバスバー（１３８）は、長尺に切断され且つ所定の形状に湾曲された金属コイルストリップから形成され、前記第１と第２のクロス端子（１４０）を介して前記第１と第２のブレード端子（２４４）を電気的に接続する、
請求項１に記載のＢＤＵ（１０６）。
【請求項５】
前記ストリップバスバー（１３８）は、頂縁（３０８）と底縁（３１０）との間に延出する両幅広の側部（３００，３０２）により区画される前記ストリップバスバーの全長に沿う矩形断面を有し、
前記クロス端子は、前記頂縁又は底縁のいずれかに取り付けられて両幅広の側部と係合する、
請求項１に記載のＢＤＵ（１０６）。
【請求項６】
前記第１と第２のクロス端子（１４０）は、各々、第１のキャビティセグメント（２０６）と前記第１のキャビティセグメントに対して垂直で且つ交差する第２のキャビティセグメント（２０８）を有するクロス形状キャビティ（２０４）を含み、
前記第１と第２のクロス端子は、前記ストリップバスバー（１３８）を対応する前記第１又は第２のクロス端子の前記第１のキャビティセグメントに又は前記第２のキャビティセグメントに装着することによって、異なる直交配向で、前記ストリップバスバーに結合される、
請求項１に記載のＢＤＵ（１０６）。
【請求項７】
前記第１と第２のクロス端子（１４０）は、前記第１と第２のクロス端子の第１の端部（２２０）と第２の端部（２２２）の両方に開口側部（２１２，２１４，２１６，２１８）を有し、前記ストリップバスバー（１３８）と対応する第１と第２のブレード端子（２４４）に前記開口側部を貫通させる、
請求項１に記載のＢＤＵ（１０６）。
【請求項８】
前記ＢＤＵハウジング（１０８）は、チャネル（１６４）とチャネルに開口するチャンバ（１６６）を含み、
前記ストリップバスバー（１３８）は、前記チャネルに受容され、
前記第１と第２のクロス端子（１４０）は、対応するチャンバに受容され、前記ストリップバスバーに機械的且つ電気的に接続する、
請求項１に記載のＢＤＵ（１０６）。
【請求項９】
第２のストリップバスバー（１３８）と第３のクロス端子をさらに備え、
前記第３のクロス端子（１４０）は、
前記第３のクロス端子の第１の端部（２２０）で前記第２のストリップバスバーを受容し、且つ、
前記ストリップバスバーと前記第２のストリップバスバーが前記第２の電子デバイスに電気的に接続されるように、前記第２の電子デバイス（１３６）から延出する第３のブレード（２４４）を受容するように構成される、
請求項１に記載のＢＤＵ（１０６）。
【請求項１０】
第１の電子デバイス（１３６）から延出する第１のブレード端子（２４４）を有する前記第１の電子デバイス（１３６）と第２の電子デバイス（１３６）から延出する第２のブレード端子（２４４）を有する前記第２の電子デバイス（１３６）を保持するように構成されるバッテリ分配ユニット（ＢＤＵ）（１０６）であって、前記ＢＤＵは、
ＢＤＵハウジング（１０８）と、
前記ＢＤＵハウジングに受容されるストリップバスバー（１３８）と、
前記ＢＤＵハウジングに受容される第１と第２のクロス端子（１４０）を備え、
前記第１のクロス端子は前記第１のクロス端子の第１の端部（２２０）で前記ストリップバスバーを受容し、且つ前記第１のクロス端子の第２の端部（２２２）で前記第１のブレード端子を受容するように構成され、
前記第２のクロス端子は前記第２のクロス端子の第１の端部（２２０）で前記ストリップバスバーを受容し、且つ前記第２のクロス端子の第２の端部（２２２）で前記第２のブレード端子を受容するように構成され、
前記ストリップバスバー（１３８）は、頂縁（３０８）と底縁（３１０）との間に延出する両幅広の側部（３００，３０２）により区画される前記ストリップバスバーの全長に沿う矩形断面を有し、
前記クロス端子は、前記頂縁又は底縁のいずれかに取り付けられて両幅広の側部と係合する、ＢＤＵ（１０６）。
【請求項１１】
第１の電子デバイス（１３６）から延出する第１のブレード端子（２４４）を有する前記第１の電子デバイス（１３６）と第２の電子デバイス（１３６）から延出する第２のブレード端子（２４４）を有する前記第２の電子デバイス（１３６）を保持するように構成されるバッテリ分配ユニット（ＢＤＵ）（１０６）であって、前記ＢＤＵは、
ＢＤＵハウジング（１０８）と、
前記ＢＤＵハウジングに受容されるストリップバスバー（１３８）と、
前記ＢＤＵハウジングに受容される第１と第２のクロス端子（１４０）を備え、
前記第１のクロス端子は前記第１のクロス端子の第１の端部（２２０）で前記ストリップバスバーを受容し、且つ前記第１のクロス端子の第２の端部（２２２）で前記第１のブレード端子を受容するように構成され、
前記第２のクロス端子は前記第２のクロス端子の第１の端部（２２０）で前記ストリップバスバーを受容し、且つ前記第２のクロス端子の第２の端部（２２２）で前記第２のブレード端子を受容するように構成され、
前記第１と第２のクロス端子（１４０）は、前記第１と第２のクロス端子の第１の端部（２２０）と第２の端部（２２２）の両方に開口側部（２１２，２１４，２１６，２１８）を有し、前記ストリップバスバー（１３８）と対応する第１と第２のブレード端子（２４４）に前記開口側部を貫通させる、ＢＤＵ（１０６）。
【発明の詳細な説明】
【技術分野及び背景技術】
【０００１】
本明細書で記述される主題は、一般に、バッテリシステム用バッテリ分配ユニット（ＢＤＵ）に関する。電気車両又はハイブリッド車両のためのようなバッテリは、典型的には、バッテリパックとしてともにグループ化された複数のセルを含む。バッテリパックは、バッテリパックの電力容量と機能性を管理するバッテリ分配ユニットを含む。これらのバッテリ分配ユニットは、典型的には、バッテリパックのケーシングの内側に取り付けられる。ＢＤＵは、少なくとも一つの電力リレー、少なくとも一つのプリチャージリレー、少なくとも一つのプリチャージ抵抗器、少なくとも一つのＹ−キャパシタ、少なくとも一つのヒューズ、電流センサ、及び他の電気デバイスのような多くの電気デバイスを含む。
【発明の概要】
【発明が解決しようとする課題】
【０００２】
従来のＢＤＵは、ボルトやナット接続部品を使用しており、それはＢＤＵハウジング内の部品の数を増加させ、組み立て時間を増加させている。ＢＤＵのサイズは、接続部品を収容するために比較的大きい。部品の数が多くなると、ＢＤＵのコストを増加することになる。他のＢＤＵの設計では、カスタマイズされたバスバーを利用し、これらのバスバーは、デバイスに嵌合すために垂直に延出するために９０°に形成された打ち抜きブレードを有するように水平に配置されたバスバーを有する典型的に打ち抜き加工と曲げ加工されたバスバーである。そのようなバスバーを有するボルトやナット接続部品が利用される。他のシステムは、ブレードに嵌合されるボックス端子を使用する。カスタマイズされたバスバーを有する従来の１２Ｖヒューズリレーボックスは、典型的には複数の（例えば、４つの）異なる層にバスバーを配置しており、それによって、全体のコスト及び１２Ｖヒューズリレーボックスのパッケージサイズが増加される。それらのシステムは複雑であり且つ多くの部品を有する。そのようなシステムは、異なる向き、利用可能な空間及び形状に適合する設計上のフレキシビリティを有さない。そのようなシステムはまた、他のコネクタ又はデバイスと一体化することが困難である。加えて、カスタマイズされたバスバーに対して、ブレード位置公差を制御することは非常に困難である。時には、デバイスのブレードの向きに順応するのが困難である場合がある。コストは、そのようなシステムの大きな不利な点である。
【課題を解決するための手段】
【０００３】
その問題に対する解決策は、設計にフレキシビリティがあり、バッテリシステム内への配置のためのサイズが小さく、リレー、ヒューズ、抵抗器等のデバイス配置を許容することができる、本明細書に開示された頑健なＢＤＵである。バッテリ分配ユニット（ＢＤＵ）は、当該ＢＤＵから延出する第１のブレード端子を有する第１の電子デバイスと当該ＢＤＵから延出する第２のブレード端子を有する第２の電子デバイスを保持する。前記ＢＤＵは、ＢＤＵハウジング、前記ＢＤＵハウジングに受容されるストリップバスバー、及び前記ＢＤＵハウジングに受容される第１と第２のクロス端子を含む。前記第１のクロス端子は、前記第１のクロス端子の第１の端部で前記ストリップバスバーを受容し、且つ前記第１のクロス端子の第２の端部で前記第１のブレード端子を受容するように構成される。前記第２のクロス端子は、前記第２のクロス端子の第１の端部で前記ストリップバスバーを受容し、且つ前記第２のクロス端子の第２の端部で前記第２のブレード端子を受容するように構成される。
【図面の簡単な説明】
【０００４】
本発明は、ここで、添付の図面を参照して、例として記載される。
【０００５】
【図１】一例示的実施形態に従って形成されたバッテリ分配ユニット（ＢＤＵ）を有するバッテリシステムを示す。
【０００６】
【図２】一例示的実施形態に従って形成されたバッテリシステムのバッテリ分配ユニットの分解図である。
【０００７】
【図３】一例示的実施形態に従って形成されたバッテリ分配ユニットのクロス端子の底面の斜視図である。
【０００８】
【図４】図３に示されるクロス端子の斜視図である。
【０００９】
【図５】バッテリ分配ユニットの電子デバイスの底面の斜視図である。
【００１０】
【図６】バッテリ分配ユニットの電気部品を示す。
【００１１】
【図７】バッテリ分配ユニットの一部の拡大図である。
【００１２】
【図８】バッテリ分配ユニットの一部を示す。
【００１３】
【図９】バッテリ分配ユニットの一部を示す。
【００１４】
【図１０】バッテリ分配ユニットの底面の斜視図である。
【発明を実施するための形態】
【００１５】
図１は、一例示的実施形態に従って形成されたバッテリ分配ユニット（ＢＤＵ）１０６を有するバッテリシステム１００を示す。バッテリシステム１００は、外側ケーシング１０４内に含まれるバッテリパック１０２を含む。バッテリ分配ユニット（ＢＤＵ）１０６は、バッテリパック１０２に結合される。バッテリパック１０２は、高電圧エネルギー貯蔵システムの一部品であってもよい。例えば、バッテリパック１０２は、電気車両やハイブリッド車両の部品のような自動車用途に使用することができる。
【００１６】
ＢＤＵ１０６は、バッテリパック１０２の電流を測定し且つその電力分配を調整することによる等によってバッテリシステム１００の電力容量と機能性を管理するために使用される。バッテリシステム１００は、高電流電力回路と低電流電力回路の両方を有し、両方は、ＢＤＵ１０６を介してバッテリパック１０２に電気的に接続される。ＢＤＵ１０６は、バッテリシステム１００の部品の動作を監視することや制御することができる。ＢＤＵ１０６は、バッテリパック１０２のバッテリの調子を測定すること又はそれに反応することができる。ＢＤＵ１０６は、バッテリパック１０２のバッテリ状態を測定すること又はそれに反応することができる。ＢＤＵ１０６は、バッテリパック１０２における過電圧状態や低電圧状態を監視すること又は反応することができる。ＢＤＵ１０６は、バッテリパック１０２の温度変化に起因して反応することができる。ＢＤＵ１０６は、バッテリパック１０２の充電機能を管理することができる。ＢＤＵ１０６は、電力端子をＢＤＵ１０６やバッテリパック１０２に取り付けるためや、センサをＢＤＵ１０６に取り付けるため、データをＢＤＵ１０６へ通信することやデータをＢＤＵ１０６から通信することのため等のために外部接続部品やコネクタを有することができる。
【００１７】
ＢＤＵ１０６は、他の実施形態では、外側ケーシング１０４内に収容することができる。或いは、ＢＤＵ１０６は、外側ケーシング１０４の外部に直接に取り付けてもよい。ＢＤＵ１０６は、ＢＤＵハウジング１０８とＢＤＵハウジング１０８内の部品を覆うためにＢＤＵハウジング１０８に結合されたカバー１１０を含む。一例示的実施形態では、正のバッテリ端子１１２と負のバッテリ端子１１４には、ＢＤＵ１０６との外部接続のために、ＢＤＵハウジング１０８やカバー１１０を介してアクセスすることができる。一例示的実施形態では、高電圧ワイヤ１１６や低電圧ワイヤ１１８を、ＢＤＵ１０６から延出させることができる。センサコネクタ１２０には、ＢＤＵ１０６の１つ以上のセンサとの外部接続のために、ＢＤＵハウジング１０８やカバー１１０を介してアクセスすることができる。
【００１８】
一例示的実施形態では、バッテリシステム１００は、サービス等のためにバッテリシステム１００の電力回路を接続解除するための、マニュアルサービス接続解除装置（ＭＳＤ）１２２を含む。ＭＳＤ１２２は、外側ケーシング１０４に直接接続されてもよい。或いは、ＭＳＤは、ＢＤＵ１０６に直接接続されてもよい。ＭＳＤ１２２は、サービス又はメンテナンス中においてバッテリシステム１００の電力回路を接続解除するすなわち開くために使用される。例えば、ＭＳＤ１２２の接続解除プラグは、ＭＳＤ１２２の接続解除ヘッダから接続解除し取り外すことができる。ＭＳＤ１２２は、ＭＳＤ１２２の開放及び閉鎖中に高電流電力回路を制御するために高電圧インターロック（ＨＶＩＬ）回路を含むことができる。
【００１９】
一例示的実施形態では、バッテリパック１０２は、外側ケーシング１０４内に収容される複数のバッテリセル１２４を含む。これらのバッテリセル１２４は、任意のタイプのバッテリセルでよい。例えば、バッテリセル１２４は、ポーチバッテリセル又は角型バッテリセルであってよい。代替の実施形態では他のタイプのバッテリセルを使用することができる。任意ではあるが、バッテリセル１２４は、積層構成に配置された幅が狭い板であってもよい。任意の数のバッテリセル１２４をバッテリパック１０２内に配置することができる。バッテリセル１２４の各々は、バッテリパック１０２内の適切な電気接続部を介してＢＤＵ１０６に電気的に接続することができる。
【００２０】
図２は、一例示的実施形態に従って形成されたＢＤＵ１０６の分解図である。一例示的実施形態では、ＢＤＵハウジング１０８は、上部ハウジング１３０と下部ハウジング１３２を有する二片のハウジングである。上部ハウジング１３０は、下部ハウジング１３２に結合されるように構成される。カバー１１０は、上部ハウジング１３０に取り付けられるように構成される。下部ハウジング１３２は、外側ケーシング１０４の内部に又は外側ケーシング１０４の外部に等のように、外側ケーシング１０４（図１に示す）にＢＤＵ１０６を取り付けるための取付けフランジ１３４を含む。ＢＤＵ１０６は、下部ハウジング１３２が外側ケーシング１０４に取り付けられる又は外側ケーシング１０４の内部にあり且つ上部ハウジング１３０が外側ケーシング１０４から離れるように向くように、外側ケーシング１０４に取り付けられてもよい。或いは、ＢＤＵ１０６は、上部ハウジング１３０が外側ケーシング１０４内に有り且つ下部ハウジング１３２の底部が外側ケーシング１０４から離れるように向くように、外側ケーシング１０４に取り付けられてもよい。
【００２１】
一例示的実施形態では、上部及び下部ハウジング１３０，１３２は、プラスチック材料のような誘電材料から製造される。上部ハウジング１３０は、参照番号１３６で概略的に示さる複数の電子デバイスを保持する。下部ハウジング１３２は、電子デバイス１３６を電気的に相互接続するために使用される複数のストリップバスバー１３８とクロス端子１４０を保持する。上部ハウジング１３０が下部ハウジング１３２に電気的に結合されると、電子デバイス１３６は、対応するクロス端子１４０を介して対応するバスバー１３８に電気的に接続することができる。任意ではあるが、下部ハウジング１３２は、一つ以上の電子デバイス１３６を保持できる。任意ではあるが、上部ハウジング１３０は、一つ以上のストリップバスバー１３８やクロス端子１４０を保持することができる。
【００２２】
任意のタイプの電子デバイス１３６は、バッテリシステム１００（図１に示す）の特定の要請に応じてＢＤＵ１０６の部品を形成することができる。図示の実施形態では、ＢＤＵ１０６は、一対の電力リレー１４２，１４４、プリチャージリレー１４６、プリチャージ抵抗器１４８、一対のヒューズ１５０，１５２、Ｙ−キャパシタ１５４，１５６、センサ１５８及び正と負のバッテリ端子１１２，１１４を含む。他のタイプの電子デバイス１３６が、代替の実施形態では使用されてもよい。電子デバイス１３６の配置は、ＢＤＵ１０６のフットプリントを最小にするように設計されたレイアウトを有することができる。
【００２３】
ストリップバスバー１３８は、対応する電子デバイス１３６同士の間に電路を区画する。ストリップバスバー１３８は、対応する電子デバイス１３６同士の間で下部ハウジング１３２内にて容易に引き回すことができる。ストリップバスバー１３８とクロス端子１４０は、ストリップバスバー１３８と電子デバイス１３６との間の便利で簡単な接続を可能とする。クロス端子１４０は、電子デバイス１３６がＢＤＵ１０６へ迅速に差し込まれる又はそれから引き抜かれることを可能とする。クロス端子１４０は、電子デバイス１３６への幾つかの又は全ての配線接続部品を排除して、ＢＤＵ１０６の組み立て時間を減少する。
【００２４】
一例示的実施形態では、下部ハウジング１３２は、頂部１６０と底部１６２を含む。下部ハウジング１３２は、頂部１６０や底部１６２で開口する複数のチャネル１６４を中に含む。ストリップバスバー１３８は、対応するチャネル１６４内に装着される。チャネル１６４は、ストリップバスバー１３８を配置且つ保持し、電気絶縁を提供し、及びストリップバスバー１３８の不注意な接触を防止する。ハウジング１３２の誘電材料は、ＢＤＵ１０６内における導電部材間の短絡を防止する。チャネル１６４は、頂部１６０と底部１６２との間で下部ハウジング１３２内において略垂直に延出する。ストリップバスバー１３８は、ストリップバスバー１３８が頂部１６０や底部１６２の間で下部ハウジング１３２内に略垂直に延出するように、チャネル１６４内に受容される。一例示的実施形態では、ストリップバスバー１３８の各々は、同じ水平レベルで配置され、下部ハウジング１３２内の同じ深さに受容される。例えば、ストリップバスバー１３８は、互いの回りに引き回されるが、互いの上又は下を垂直には通過しない。ストリップバスバー１３８の全てを同じ深さに設けることによって、下部ハウジング１３２ひいてはＢＤＵ１０６が低いプロファイルを有することができ、バッテリシステム１００内及びその周りの貴重な空間を節約することやバッテリシステム１００をよりコンパクトにする。互いの上又は下にバスバーを通さないことによって、下部ハウジング１３２にための追加の高さを必要とするそのようなバスバー同士の間に適切な沿面距離を設けることの必要性を排除する。そのような構成によって、コストとパッケージサイズが低減される。
【００２５】
下部ハウジング１３２は、対応するチャネル１６４に対して開口する複数のチャンバ１６６を含む。チャンバ１６６は、頂部１６０や底部１６２で開口する。チャンバ１６６は、その中に対応するクロス端子１４０を受容する。任意ではあるが、チャンバ１６６は、摩擦嵌合によって又はロック機能を使用することによって等でその中にクロス端子１４０を保持するようにサイズが決められ且つ形成されることができる。チャンバ１６６は、クロス端子１４０への接続のために、下部ハウジング１３２とストリップバスバー１３８に対してクロス端子１４０を配向するようにサイズが決められ且つ形成されることができる。例えば、クロス端子１４０は、クロス端子１４０がチャンバ１６６に差し込まれると、チャンバ１６６内に差し込まれてストリップバスバー１３８に接続される。クロス端子１４０は対応するチャンバ１６６に受容されて、対応するストリップバスバー１３８に機械的且つ電気的に接続する。チャンバ１６６は、クロス端子１４０のための配置、保持、整列、配向及び取り付けを提供する。チャンバ１６６は、クロス端子１４０の周りを絶縁し、電気的隔離を提供し且つ不注意な接触から保護する。
【００２６】
図３は、一例示的実施形態に従って形成されたクロス端子１４０の１つの底面の斜視図である。図４は、図３に示されるクロス端子１４０の斜視図である。クロス端子１４０は、クロス形状に形成された打ち抜き加工及び曲げ加工された本体２００を含む。クロス端子１４０は互いから離間された複数のＬ形状の壁セグメント２０２を含み、クロス形状キャビティ２０４を区画する。一例示的実施形態では、四つの壁セグメント２０２が四つの異なるクワドラントに設けられ且つ配置される。壁セグメント２０２は、クロス形状キャビティ２０４を横切るように互いに対向する。
【００２７】
一例示的実施形態では、クロス形状キャビティ２０４は、第１のキャビティセグメント２０６とこの第１のキャビティセグメント２０６に対して垂直で交差する第２のキャビティセグメント２０８によって区画される。ストリップバスバー１３８（図２に示す）は、第１のキャビティセグメント２０６又は第２のキャビティセグメント２０８のいずれかに受容されるように構成される。クロス端子１４０は、ストリップバスバー１３８を第１のキャビティセグメント２０６に又は第２のキャビティセグメント２０８に装着することにより、異なる直交の向きでストリップバスバー１３８に結合するように構成される。従って、クロス端子１４０は、ストリップバスバー１３８に対して関して０°の位置、９０°の位置、１８０°の位置又は２７０°の位置に向けることができる。
【００２８】
クロス端子１４０は、壁セグメント２０２からクロス形状キャビティ２０４内に延出する複数の突起２１０を含む。これらの突起２１０は、ストリップバスバー１３８がクロス形状キャビティ２０４に装着されると、ストリップバスバー１３８に係合するように構成される。図示の実施形態では、突起２１０は、壁セグメント２０２からクロス形状キャビティ２０４に延出する半円形バンプによって区画されるが、突起２１０は、代替の実施形態では、異なる形状を有していてもよい。突起は、壁セグメント２０２から打ち抜き加工された撓み可能な梁とすることができる。
【００２９】
クロス端子１４０は、クロス端子１４０の第１の端部２２０と第２の端部２２２との間に延出する開口側部２１２，２１４，２１６，２１８を含む。一例示的実施形態では、開口側部２１２，２１４，２１６，２１８は、第１と第２の端部２２０，２２２の間のクロス端子１４０の長手の少なくとも一部に沿って開口している。接続セグメント２２４は、側部２１２，２１４，２１６，２１８を横切って対応する壁セグメント２０２同士の間に延出する。側部２１２，２１４，２１６，２１８は、接続セグメント２２４の位置で閉鎖されてもよい。任意ではあるが、接続セグメント２２４は、側部２１２，２１６が第１と第２の端部２２０，２２２で開口するように側部２１２，２１６に沿って略中央に位置することができる。任意ではあるが、図４に示されるように、接続セグメント２２４は、側部２１４，２１８が第１の端部２２０に最も近接して開くだけで且つ第２の端部２２２に最も近接して閉じるように、側部２１４，２１８に沿って第２の端部２２２まで延出できる。
【００３０】
一例示的実施形態では、本体２００は、オーバーラップセグメント２２６が一つの壁セグメント２０２から側部２１８を横切って対向する壁セグメント２０２に沿って延出するように打ち抜き加工及び曲げ加工される。オーバーラップセグメント２２６は、クロス端子１４０をともに保持する。或いは、オーバーラップセグメント２２６を使用する代わりに、一つ以上の壁セグメント２０２は、壁セグメント２０２をともにレーザ溶接すること等によって他の壁セグメント（単数又は複数）に固定されてもよい。
【００３１】
図示の実施形態では、クロス端子１４０は、第１の端部２２０で全ての四つの側部２１２，２１４，２１６，２１８で開口するが、第２の端部２２２では、二つの側部２１１，２１６でのみ開口し、他の二つの側部２１４，２１８で閉鎖されている。或いは、クロス端子１４０の第２の端部２２２は、クロス端子１４０の第１の端部と同一であってもよく、全ての四つの側部２１２，２１４，２１６，２１８で開口する。他の代替の実施形態では、第１の端部２２０は、第２の端部２２２と同様に、側部２１４，２１８など、側部２１２，２１４，２１６，２１８の任意の側部で閉鎖することができ、他方、クロス端子１４０の第２の端部２２２は、クロス端子１４０の第１の端部２２０と同一であってもよく、全ての四つの側部２１２，２１４，２１６，２１８で開口する。他の代替の実施形態では、クロス端子１４０の第１の端部２２０は、クロス端子１４０の第２の端部と同一であってもよく、第１と第２の端部２２０，２２２が二つの開口側部と二つの閉鎖側部を有するように二つの側部２１２，２１６で開口する。端部２２０，２２２は、特定の用途に従って、任意の数の開口側部と閉鎖側部を有することができる。他の代替の実施形態では、クロス端子１４０の第１の端部２２０は、少なくとも一つのブレードが垂直なストリップバスバー１３８から離れるように分岐するときのように、全ての四つの側部で閉鎖してもよく、他方、クロス端子１４０の第２の端部２２２は、任意の数の開口側部と閉鎖側部を有することができる。
【００３２】
一代替の実施形態では、クロス端子１４０は、ストリップバスバー１３８と電子デバイス１３６に相対してクロス端子１４０の追加の取付け向き（例えば、平行、垂直及び横／非平行及び非垂直）を可能とする追加の壁セグメントと追加のキャビティセグメント（例えば、三つ以上のキャビティセグメント）を含むことができる。そのような実施形態でのクロス形状のキャビティは、もはや垂直なクロス形状ではなくてむしろ多くの交差キャビティセグメントを有する。
【００３３】
図５は、電子デバイス１３６の１つの底面の斜視図である。電子デバイス１３６は、底部２４２を有する本体２４０を含む。複数のブレード端子２４４が底部２４２から延出する。ブレード端子２４４は、対応するクロス端子１４０（図３と図４に示す）に又は他のタイプのソケット端子に接続するように構成される。ブレード端子２４４は、平らであり且つ先端２４６に延出する。ブレード端子２４４は、両縁部２５０の間に延出する両側部２４８を有する。
【００３４】
図６は、明瞭化のためにＢＤＵハウジング１０８（図２に示す）を取り外したＢＤＵ１０６（図２に示す）の電気部品を示す。図６は、ＢＤＵ１０６のための特定の電力供給スキームに従って対応する電子デバイス１３６を電気的に相互接続するストリップバスバー１３８を示す。一例示的実施形態では、各ストリップバスバー１３８は、ある長さに切断され且つ所定の形状に曲げられた金属コイルストリップから形成され、クロス端子１４０を介して、対応する電子デバイス１３６同士の間を引き回され且つ電気的にそれらに接続する。ストリップバスバー１３８は、その全長に沿って矩形の断面を有していてもよい。
【００３５】
ストリップバスバー１３８は、第１と第２の端部３０４，３０６の間でストリップバスバー１３８の長さを延長する第１と第２の幅広の側部３００，３０２を含む。ストリップバスバー１３８は、それらの第１と第２の端部３０４，３０６の間で異なる長さを有していてもよい。ストリップバスバー１３８は、第１と第２の端部３０４，３０６の間に延出する頂縁３０８と底縁３１０を有する。ストリップバスバー１３８は、第１と第２の端部３０４，３０６の間に任意の数の湾曲部３１２を有することができる。任意ではあるが、湾曲部３１２は、９０°の湾曲部とすることができる。或いは、湾曲部３１２は、湾曲部３１２の両側のセグメントが非垂直となるように、他の角度とすることができる。
【００３６】
ストリップバスバー１３８はＢＤＵ１０６を介して引き回され、異なる電子デバイス１３６又はＢＤＵ１０６又はバッテリシステム１００（図１に示す）の他の部品を電気的に相互接続する。ストリップバスバー１３８は、クロス端子１４０がストリップバスバー１３８を対応するブレード端子２４４と電気的に接続するように、電子デバイス１３６の対応するブレード端子２４４の下方に垂直に通過する。任意ではあるが、ストリップバスバー１３８は、ブレード端子２４４（例えば、側部２４８に平行な幅広の側部３００，３０２を有する）に平行であってもよく、又はその替わりに、ストリップバスバー１３８は、ブレード端子２４４（例えば、側部２４８に垂直な幅広の側部３００，３０２を有する）に垂直に向けられてもよい。
【００３７】
クロス端子１４０のクロス形状キャビティ２０４は、ブレード端子２４４に対して異なる直交配向（例えば、平行又は垂直）でストリップバスバー１３８にクロス端子１４０を貫通させる。クロス端子１４０の第２の端部２２２は、対応するブレード端子２４４に結合され、クロス端子１４０の第１の端部２２０は、対応するストリップバスバー１３８を受容する。第２の端部２２２が二つの開口側部２１２，２１６を有しているので、クロス端子１４０は、ブレード端子２４４が第１のキャビティセグメント２０６（図３に示す）に受容されるように、０°位置又は１８０°位置のいずれかでブレード端子２４４に結合するように構成される。縁部２５０は、クロス端子１４０の側部２１２，２１６を越えて延在する。ブレード端子２４４に対するこのような配向において、クロス端子１４０の四つの開口側部２１２，２１４，２１６，２１８（図３に示す）は、第１のキャビティセグメント２０６又は第２のキャビティセグメント２０８（図３に示す）のいずれかにストリップバスバー１３８を受容することができる。ストリップバスバー１３８がブレード端子２４４に平行である場合、ストリップバスバー１３８は、第１のキャビティセグメント２０６に受容される。ストリップバスバー１３８がブレード端子２４４に垂直である場合、ストリップバスバー１３８は、第２のキャビティセグメント２０８に受容される。開口側部を有することによって、ストリップバスバー１３８と電子デバイス１３６の配置におけるフレキシビリティが可能となる。クロス端子１４０は、第１又は第２の端部に四つの閉鎖側部を有するクロス端子１４０に比較して、ストリップバスバー１３８や電子デバイス１３６に対するより大きな位置公差を有する。ＢＤＵ１０６内のストリップバスバー１３８と電子デバイス１３６の設計とレイアウトは、開口側部クロス端子１４０を使用するとより容易になり得る。
【００３８】
一代替の実施形態では、クロス端子１４０は、第１の端部２２０がブレード端子２４４に結合され且つ第２の端部がストリップバスバー１３８に結合されるように、１８０°反転されることができる。第２の端部２２２は、二つの側部２１４，２１８に沿ってのみ開口しているので、クロス端子１４０は、第１のキャビティセグメント２０６のみに受容される。しかし、第１の端部２２０は、ブレード端子２４４がストリップバスバー１３８に平行であってもよく又はストリップバスバー１３８に垂直であってもよいように、第１のキャビティセグメント２０６内に又は第２のキャビティセグメント２０８内にブレード端子２４４を受容することができる。
【００３９】
クロス端子１４０は、ストリップバスバー１３８と対応するブレード端子２４４を電気的に接続する。任意ではあるが、ストリップバスバー１３８は、一つ以上の電子デバイス１３６に加えて他の部品に電気的に接続されてもよい。例えば、ストリップバスバー１３８は、正又は負のバッテリ端子１１２，１１４、シャントタイプセンサのセンサコネクタに接続されてもよいし又はホールセンサ１２０、Ｙ−キャパシタ１５４，１５６、電気テークオフ（電気取出し口）３２０又は他の部品を貫通させてもよい。一例示的実施形態では、Ｙ−キャパシタ１５４，１５６から延出する第１のワイヤ３２２は、ワイヤ３２２をストリップバスバー１３８にはんだ付け又は溶接する等により、対応するストリップバスバー１３８に直接接続される。Ｙ−キャパシタ１５４，１５６から延出する第２のワイヤは、それらのワイヤを外部ワイヤへはんだ付け又は溶接する等により、外部ワイヤ（図示せず）に直接接続される。
【００４０】
任意ではあるが、ストリップバスバー１３８の第１又は第２の端部３０４，３０６は、タブ３２４を区画するために折り曲げてもよい。タブ３２４は、バッテリセル１２４（図１に示す）に直接、ＭＳＤが下部ハウジング１３２（図２に示す）に最も近接して位置している場合はＭＳＤ１２２に又は他の部品に直接などにより、他の電気部品に直接接続することができる。タブ３２４は、そのような他の電気部品へ接続するために、ＢＤＵハウジング１０８を越えて延出できる。任意ではあるが、タブ３２４は、ストリップバスバー１３８に溶接された別個のバッテリ端子を有するのとは対照的に、正と負のバッテリ端子１１２，１１４を区画できる。
【００４１】
電気テークオフ３２０は、その任意のセグメントに沿ってストリップバスバー１３８に接続することができる。例えば、電気テークオフ３２０は、ワイヤに取り付けられる開口側端子を含んでいてもよい。これらの開口側端子は、頂縁３０８又は底縁３１０のいずれかに沿ってストリップバスバー１３８に結合される。電気テークオフ３２０に接続されるワイヤは、ＢＤＵ１０６内又はＢＤＵ１０６外の他の電気部品に延出できる。電気テークオフ３２０は、電力を導電してもよく又は電圧測定又は他の機能のために使用されてもよい。
【００４２】
一例示的実施形態では、ブレードコンタクト３３０は、電子デバイス１３６のブレード端子２４４の少なくとも幾つかに結合される。ブレードコンタクト３３０は、ＢＤＵ１０６内やＢＤＵ１０６外に引き回されるワイヤ３３２に接続することができる。任意ではあるが、ワイヤ３３２は、ＢＤＵ１０６からバッテリシステム１００の他の部品へ引き回される高電圧ワイヤ１１６（図１に示す）または低電圧ワイヤ１１８（図１に示す）の一つ以上を区画できる。
【００４３】
図７は、ＢＤＵ１０６の一部の拡大図である。図７は、対応するクロス端子１４０を使用して、プリチャージリレー１４６をプリチャージ抵抗器１４８と接続するストリップバスバー１３８を示している。図７はまた、対応するクロス端子１４０を使用して、電力リレー１４４に接続されたプリチャージリレー４６を示している。ブレードコンタクト３３０と対応するワイヤ３３２は、プリチャージリレー１４６と電力リレー１４４の対応するブレード端子２４４に接続される。そのようなワイヤ３３２は、ＢＤＵ１０６の他の電気部品に接続することができる。図７は、他の電子デバイス１３６とストリップバスバー１３８の一部分を示す。図７は、対応する端子ブレード２４４に対して垂直に配向されたストリップバスバー１３８の一つを有し且つ対応する端子ブレード２４４に平行に配向された他の一つのストリップバスバー１３８を有するプリチャージリレー１４６を示す。クロス端子１４０の第２の端部２２２はブレード端子２４４を受容し、且つクロス端子１４０の第１の端部２２０はストリップバスバー１３８を受容する。ストリップバスバー１３８は、設計においてフレキシブルであり、ＢＤＵ１０６内における引き回しスキームを可能とし、ＢＤＵ１０６の全体のサイズ又はフットプリントを減じる。
【００４４】
図８は、ＢＤＵ１０６の一部を示す。図８は、プリチャージ抵抗器１４８が対応するクロス端子１４０を介してヒューズ１５０，１５２に電気的に接続されることを示す。ヒューズ１５０は、対応するクロス端子１４０によって他のストリップバスバー１３８に電気的に接続される。ヒューズ１５２は対応するブレードコンタクト３３０に接続され、対応するワイヤ３３２はＢＤＵ１０６内又はＢＤＵ１０６外の他の電気部品に電気的に接続することができる。図８は、ストリップバスバー１３８の頂縁３０８に結合された電気テークオフ３２０を示す。電気テークオフ３２０は、ＢＤＵ１０６内又はＢＤＵ１０６外のアクセサリー、ＤＣ／ＤＣインバータ、電圧センサ又は他の電気部品のような他の部品に接続することができる。例えば、図１に示されるように、高電圧ワイヤ１１６や低電圧ワイヤ１１８は、ＢＤＵハウジング１０８の側から出ていく。
【００４５】
図示の実施形態では、クロス端子１４０は、ストリップバスバー１３８の頂縁３０８に沿ってストリップバスバー１３８に接続される。頂縁３０８は、クロス端子１４０のクロス形状キャビティ２０４に受容される。
【００４６】
図９は、対応するクロス端子１４０を介してプリチャージ抵抗器１４８及びヒューズ１５０，１５２に電気的に接続されたストリップバスバー１３８の一つを示すＢＤＵ１０６の一部を示す。図示の実施形態では、クロス端子１４０は、ストリップバスバー１３８の底縁３１０に接続される。ヒューズ１５０，１５２は、ストリップバスバー１３８の下方に配置される。任意ではあるが、ヒューズ１５０，１５２は、例えばＢＤＵハウジング１０８（図２に示す）の外部からのアクセスのために、下部ハウジング１３２（図２に示す）の底部１６２（図２に示す）の下方に配置することができる。
【００４７】
図１０は、ＢＤＵハウジング１０８の底部１６２を示す代替の実施形態に係るＢＤＵ１０６の底面の斜視図である。図１０に示される実施形態では、ＭＳＤ１２２は、ＢＤＵハウジング１０８の底部１６２に接続されることが示される。ヒューズ１５０，１５２は、ＭＳＤ１２２内に位置される。ヒューズは、ＢＤＵハウジング１０８から引き回される、ヒューズに接続される追加のワイヤを必要としない。ヒューズ１５０，１５２は、ＭＳＤ１２２のプラグがＭＳＤ１２２のヘッダに結合されると、ＭＳＤ１２２のプラグによって覆われ得る。プラグが取り外されると、ヒューズ１５０，１５２は、サービス及び交換のために露出される。
【００４８】
ＢＤＵ１０６は、他の相手コネクタ（図示せず）への電気接続のため底部１６２に沿う外部コネクタ３４０を含む。クロス端子１４０は、相手コネクタへの接続のために外部コネクタ３４０内に配置される。クロス端子１４０は、ストリップバスバー１３８の底縁３１０（図７に示す両方）に沿って対応するストリップバスバー１３８に結合するように構成される。クロス端子１４０は、相手コネクタとの嵌合のためにＢＤＵ１０６の外部に配置される。
【００４９】
上記記載は、例証であり且つ制限するものではないことが理解されるべきである。例えば、上述の実施形態（やその態様）は、互いに組み合わされて使用されてもよい。加えて、多くの変更は、本発明の範囲から逸脱することなく本発明の教示に特定の状態又は材料を適合するように行われることができる。寸法、材料のタイプ、種々の部品の向き、及び本明細書に記述される種々の部品の数及び位置は、特定の実施形態のパラメータを定義することを意図しており、いずれにしても、制限するものではなく、単に例示的実施形態である。請求項の精神及び範囲内での多くの他の実施形態及び変更は、上記記載を再検討すれば当業者には明白である。
【図１】
0006272904.tif 000002
【図２】
0006272904.tif 000003
【図３】
0006272904.tif 000004
【図４】
0006272904.tif 000005
【図５】
0006272904.tif 000006
【図６】
0006272904.tif 000007
【図７】
0006272904.tif 000008
【図８】
0006272904.tif 000009
【図９】
0006272904.tif 000010
【図１０】
0006272904.tif 000011